(57)【特許請求の範囲】
【請求項１】
基板と、
前記基板の一方の面上に配置され、
下部電極、
前記下部電極上に配置された第１空隙部、及び
前記第１空隙部上に配置された上部電極を有してなる超音波振動子セルと、
前記基板の他方の面上に配置され、
前記下部電極及び前記上部電極のいずれか一方と電気的に接続された第１導電層と、
前記第１導電層上に配置されたエレクトレット膜と、
前記エレクトレット膜上に配置された絶縁層と、
前記絶縁層上に配置され、前記下部電極及び前記上部電極のうち、前記第１導電層と電気的に連結していない方の電極と電気的に接続された第２導電層と、
を具備することを特徴とする超音波トランスデューサ。
【請求項２】
基板と、
前記基板の一方の面上に配置され、
下部電極、
前記下部電極上に配置された第１空隙部、及び
前記第１空隙部上に配置された上部電極を有してなる超音波振動子セルと、
前記基板の他方の面上に配置され、
前記下部電極及び前記上部電極のいずれか一方と電気的に接続された第１導電層と、
前記第１導電層上に配置された絶縁層と、
前記絶縁層上に配置されたエレクトレット膜と、
前記エレクトレット膜上に配置され、前記下部電極及び前記上部電極のうち、前記第１導電層と電気的に連結していない方の電極と電気的に接続された第２導電層と、
を具備することを特徴とする超音波トランスデューサ。
【請求項３】
前記絶縁層は、一対の絶縁膜と、前記一対の絶縁膜に挟持された第２空隙部と、を含むことを特徴とする請求項１又は２に記載の超音波トランスデューサ。
【請求項４】
前記基板は、可撓性を有することを特徴とする請求項１から３のいずれか一項に記載の超音波トランスデューサ。
【請求項５】
請求項１から４のいずれか一項に記載の超音波トランスデューサを具備することを特徴とする電子機器。
【発明の詳細な説明】
【技術分野】
【０００１】
本発明は、エレクトレットを具備して構成される静電容量型の超音波トランスデューサ及び電子機器に関する。
【背景技術】
【０００２】
従来、超音波トランスデューサとして、セラミック圧電材ＰＺＴ（ジルコン酸チタン酸鉛）等の圧電素子が主に使用されてきたが、近年、特許文献１に開示されているような静電容量型の超音波トランスデューサが注目を集めている。
【０００３】
静電容量型の超音波トランスデューサは、空隙部を挟んで対向する上部電極及び下部電極からなる一対の電極を具備して構成されるものであり、上部電極を含む膜状部（メンブレン又はダイアフラムとも称する）の振動により超音波の送受信を行うものである。
【０００４】
静電容量型の超音波トランスデューサは、超音波の受信時において上部電極と下部電極との間の静電容量の変化を基に超音波信号を電気信号に変換するものであるため、特に受信時においては上部電極と下部電極との間にＤＣバイアス電圧を印加する必要があった。
【０００５】
超音波トランスデューサの低消費電力化及び小型化を実現するためには、ＤＣバイアス電圧の電圧値を低減する又はゼロとすることが好ましい。そこで、静電容量型の超音波トランスデューサの上部電極と下部電極との間に電荷を保持するエレクトレット膜を配設することにより、上部電極と下部電極との間に電位差を生じせしめ、ＤＣバイアス電圧を低減する技術が知られている。
【特許文献１】特表２００５−５１０２６４号公報
【発明の開示】
【発明が解決しようとする課題】
【０００６】
しかしながら、静電容量型の超音波トランスデューサにおいて、ＤＣバイアス電圧を低減するのに十分な量の電荷を安定して保持することが可能な厚さのエレクトレット膜を、上部電極と下部電極との間に配設した場合、上部電極と下部電極との間の距離が離れてしまうことにより静電容量が低下し、静電容量型の超音波トランスデューサの出力と感度が低下してしまう。
【０００７】
本発明は、上記問題点に鑑みてなされたものであり、エレクトレット膜を具備することによりＤＣバイアス電圧の低減を可能としながら、十分な出力及び感度を有する超音波トランスデューサ及び電子機器を提供することを目的とする。
【課題を解決するための手段】
【０００８】
本発明の超音波トランスデューサは、基板と、前記基板の一方の面上に配置され、下部電極、前記下部電極上に配置された第１空隙部、及び前記第１空隙部上に配置された上部電極を有してなる超音波振動子セルと、前記基板の他方の面上に配置され、前記下部電極及び前記上部電極のいずれか一方と電気的に接続された第１導電層と、前記第１導電層上に配置されたエレクトレット膜と、前記エレクトレット膜上に配置された絶縁層と、前記絶縁層上に配置され、前記下部電極及び前記上部電極のうち、前記第１導電層と電気的に連結していない方の電極と電気的に接続された第２導電層と、を具備することを特徴とする。
【０００９】
また、本発明の超音波トランスデューサは、基板と、前記基板の一方の面上に配置され、下部電極、前記下部電極上に配置された第１空隙部、及び前記第１空隙部上に配置された上部電極を有してなる超音波振動子セルと、前記基板の他方の面上に配置され、前記下部電極及び前記上部電極のいずれか一方と電気的に接続された第１導電層と、前記第１導電層上に配置された絶縁層と、前記絶縁層上に配置されたエレクトレット膜と、前記エレクトレット膜上に配置され、前記下部電極及び前記上部電極のうち、前記第１導電層と電気的に連結していない方の電極と電気的に接続された第２導電層と、を具備することを特徴とする。
【発明を実施するための最良の形態】
【００１０】
以下、本発明の超音波トランスデューサの好ましい形態について図面を参照して説明する。なお、以下の説明に用いた各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
図１は超音波トランスデューサを超音波送信方向から見た平面図である。図２は、超音波トランスデューサの概略構成を示す斜視図である。図３は、図１のIII-III断面図である。図４は、超音波トランスデューサの変形例を示す断面図である。
【００１２】
超音波トランスデューサ１は、基板２の一方の面２ａに超音波振動子セル１０が配設され、基板２の他方の面２ｂにエレクトレット膜２０が配設されてなる。
【００１３】
以下、基板２の一方の面２ａ又は他方の面２ｂ上に配設される構成要素の上下関係については、それぞれの面から法線方向に遠ざかる方向を上方とする。例えば、図３の断面図において、基板２の一方の面２ａ上において、上部電極１２は下部電極１１の上方に配設されていると称し、また、基板２の他方の面２ｂ上において、第２導電層２２は、第１導電層２１の上方に配設されていると称するものとする。
【００１４】
基板２を構成する材料は、特に限定されるものではなく、導電性を有する材料によって構成されてもよいし、電気絶縁性を有する材料によって構成されてもよい。本実施形態では、基板２は、シリコン酸化物、シリコン窒化物、石英、サファイヤ、水晶、アルミナ、ジルコニア、ガラス、又は樹脂等の公知の絶縁性材料により構成されるものとする。
【００１５】
超音波振動子セル１０は、基板２の一方の面２ａ上に配設された平板状の下部電極１１と、該下部電極１１上に第１空隙部１３を挟んで対向して配設された平板状の上部電極１２と、を具備して構成されている。
【００１６】
上部電極１２は、下部電極１１上に配設された電気絶縁性を有する材料からなる絶縁層１４によって、下部電極１１と略平行となるように支持されている。超音波振動子セル１０は、超音波の送受信時において、第１空隙部１３の上方に位置する絶縁層１４及び上部電極１２を含む膜状部１５が振動する。
【００１７】
基板２を平面的に見た場合の膜状部１５の形状は、図示するように円形状であることが音響特性上はより好ましいものであるが、長円形、楕円形又は多角形であってもよい。また、一つの超音波トランスデューサ１に複数の超音波振動子セル１０が配設される場合、複数の超音波振動子セル１０は複数種類の異なる形状を有する膜状部１５を具備するものであってもよい。
【００１８】
なお、絶縁層１４は、下部電極１１の第１空隙部１３側の面、及び上部電極１２の第１空隙部１３側の面の少なくとも一方を覆うように配設され、下部電極１１と上部電極１３とが接触し短絡することを防止する機能を有することが好ましい。
【００１９】
本実施形態では、下部電極１１は、図３に示すように、基板２の一方の面２ａ上に形成された信号電極パッド３１に電気的に接続されている。上部電極１２は、図示しない配線によって、基板２の一方の面２ａ上に形成された接地電極パッド３２に電気的に接続されている。
【００２０】
信号電極パッド３１及び接地電極パッド３２は、基板２の一方の面２ａを平面的に見た場合に超音波振動子セル１０とは重ならない位置に露出して配設された電極であり、該信号電極パッド３１及び接地電極パッド３２を介して、超音波振動子１を駆動する駆動回路が電気的に接続される。
【００２１】
なお、超音波振動子セル１０上には、例えば図３に示すように、酸化防止、破損防止又は耐湿性向上等を目的として、樹脂製の保護膜１６が配設されてもよい。
【００２２】
一方、基板２の上記超音波振動子セル１０が配設された面とは反対側の面である他方の面２ｂ上には、超音波振動子セル１０の下部電極１１及び上部電極１２間に電位差を与えるエレクトレット膜２０が配設されている。
【００２３】
基板２の他方の面２ｂ上の構成について詳細に述べる。まず基板２の他方の面上には、導電性の材料からなる平板状の第１導電層２１が配設されている。該第１導電層２１は、基板２を貫通して設けられたビアホール内の貫通電極３を介して下部電極１１に電気的に接続されている。
【００２４】
第１導電層２１上には、電気絶縁性を有する絶縁層を挟んでエレクトレット膜２０が配設されている。エレクトレット膜２０は、極性が正又は負の電荷を永続的に保持する機能を有する公知のものであり、その構成及び形成方法は特に限定されるものではない。
【００２５】
例えば、エレクトレット膜２０を無機膜により構成する場合には、エレクトレット膜２０は、シリコン化合物又はハフニウム化合物等からなる無機膜に対して、イオンビームやコロナ放電により電荷を注入することで形成される。また、エレクトレット２０は、複数種類の材料からなる積層構造を有するものであってもよい。例えばエレクトレット膜２０をＳｉＯ２により形成し、該エレクトレット膜２０をＳｉＮからなる絶縁膜により被覆すると、高温下においても保持する電荷の消失が抑制されるため好ましい。
【００２６】
また例えば、エレクトレット膜２０を有機膜により構成する場合には、エレクトレット膜２０は、フッ素樹脂、ポリイミド、ポリプロピレン又はポリメチルペンテン等からなる樹脂膜にコロナ放電により電荷を注入することで形成される。
【００２７】
本実施形態では、第１導電層２１とエレクトレット膜２０との間に介装される絶縁層は、第２空隙部２３と電気絶縁性を有する材料からなる絶縁膜２４とにより構成されている。
【００２８】
第１導電層２１とエレクトレット膜２０との間に介装される絶縁層は、この形態に限られるものではなく、例えばエレクトレット膜２０と第１導電層２１とは、第２空隙部２３のみによって電気的に絶縁される形態であってもよいし、絶縁膜２４のみによって電気的に絶縁される形態であってもよい。
【００２９】
本実施形態のように、エレクトレット膜２０の表面を絶縁膜２４により被覆することは、エレクトレット膜２０が保持する電荷の消失を抑制することができるため、より好ましい。
【００３０】
エレクトレット膜２０上、すなわちエレクトレット膜２０の第１導電層２１側とは反対側には、第１導電層２１に略平行に対向して配設された導電性の材料からなる平板状の第２導電層２２が配設されている。エレクトレット膜２０と第２導電層２２とは、接触するように配設されてもよいし、間に第２導電層２２の表面の酸化を防止する導電性又は電気的絶縁性の膜が介装されてもよい。
【００３１】
第２導電層２２は、基板２を貫通して設けられたビアホール内の貫通電極４を介して、接地電極パッド３２に電気的に接続されている。すなわち、第２導電層２２は、上部電極１２と電気的に接続されている。
【００３２】
なお、第１導電層２１及び第２導電層２２と、下部電極１１及び上部電極１２とを電気的に接続する構成は本実施形態に限られるものではなく、例えば、第１導電層２１及び第２導電層２２と下部電極１１及び上部電極１２とは、基板２の外周部を回り込むように設けられた配線を介して電気的に接続される構成であってもよい。
【００３３】
上記エレクトレット膜２０及び第２導電層２２は、絶縁膜２４により支持されている。言い換えれば、絶縁膜２４は、エレクトレット膜２０と第１導電層２１との間に第２空隙部２３が形成され、かつ第１導電層２１と第２導電層２２とが略平行となるように、エレクトレット膜２０及び第２導電層２２を支持している。
【００３４】
図３に示すように、第２空隙部２３が閉じた空間すなわち気密に構成され、かつ第２空隙部２３内に第１導電層２１の表面が露出している場合には、第１導電層２１の酸化防止を目的として、第２空隙部２３は真空であるか、乾燥した不活性ガスが充填されることが好ましい。また、第２空隙部２３が気密に構成されていない場合には、第１導電層２１の表面は、酸化を防止する保護膜により被覆されることが好ましい。
【００３５】
なお、図４に示すように、エレクトレット膜２０は、第１導電層２１上に接して配設され、該エレクトレット膜２０上に第２空隙部２３及び絶縁膜２４からなる絶縁層が配設され、さらに該絶縁層上に第２導電層２２が配設される形態であってもよい。
【００３６】
以下に、上述した構成を有する超音波トランスデューサ１の効果を説明する。
【００３７】
上述した構成を有する超音波トランスデューサ１では、超音波振動子セル１０の下部電極１１及び上部電極１２間に電位差を生じさせるエレクトレット膜２０は、基板２の超音波振動子セル１０が配設された面（一方の面２ａ）とは反対側の面（他方の面２ｂ）上に配設されている。
【００３８】
このため、本実施形態の超音波トランスデューサ１では、エレクトレット膜２０の厚さと、下部電極１１及び上部電極１２間の距離とを、それぞれ独立して設定することが可能である。
【００３９】
すなわち、本実施形態によれば従来の上部電極と下部電極との間にエレクトレット膜を配設した静電容量型の超音波トランスデューサに比して、下部電極１１及び上部電極１２間の距離を小さくして両電極間の静電容量を大きくし、送信超音波の音圧及び受信超音波の感度を向上させるとともに、エレクトレット膜２０の厚さを、該エレクトレット膜２０が永続的に安定して電荷を保持することが可能な厚さにまで厚くすることができる。
【００４０】
したがって、本実施形態の超音波トランスデューサ１は、エレクトレット膜２０を具備することにより下部電極１１及び上部電極１２間に印加するＤＣバイアス電圧を低減又はＤＣバイアス電圧の印加を不要としながら、従来に比してより高い出力及び感度を有する。
【００４１】
また、本実施形態の超音波トランスデューサは、従来に比してエレクトレット膜２０を厚くすることが可能なため、エレクトレット膜２０の電荷保持性能が安定し、より長期間にわたって性能を維持することが可能である。
【００４２】
また、本実施形態ではエレクトレット膜２０が、基板２を平面的に見た場合に超音波振動子セル１０と重なる位置に配設されているため、本実施形態の超音波トランスデューサ１は、従来の上部電極と下部電極との間にエレクトレット膜を配設した超音波トランスデューサと同等の大きさで実現可能である。
【００４３】
また、一般に超音波トランスデューサは、超音波を減衰させることなく伝播させるために超音波を送受信する面が液体に接触した状態で使用されることがある。一方で、エレクトレット膜２０は、水分に接することで保持する電荷を消失してしまう場合がある。本実施形態ではエレクトレット膜２０が、超音波を送受信する面とは反対側に配設されていることから、エレクトレット膜２０への水分の浸入を防止することができ、超音波トランスデューサ１の耐久性が向上する。
【００４４】
ところで、従来の上部電極と下部電極との間にエレクトレット膜を配設した超音波トランスデューサでは、エレクトレット膜に電荷を注入した後に行われる製造工程における雰囲気の成分や湿度、温度の影響により、エレクトレット膜が保持する電荷が消失してしまうという問題がある。したがって、従来では、エレクトレット膜を構成する材料や、エレクトレット膜に電荷を注入した後に実施できる工法が限定されていた。
【００４５】
これに対し、上述した超音波トランスデューサ１を製造する場合、基板２の一方の面２ａ上に配設する超音波振動子セル１０と、他方の面２ｂ上に配設するエレクトレット膜２０とを、それぞれ別体で製造した後に組み合わせることが可能である。
【００４６】
したがって、エレクトレット膜２０に電荷を注入した後に、エレクトレット膜２０を保持する電荷が消失する環境下に置くことなく超音波トランスデューサ１内に具備させることができる。すなわち、上述した構成を有する超音波トランスデューサ１は、構成材料の選定や工法の選定等の設計の自由度が向上するため、従来に比してより高い性能をより安価に実現できる。また、構成材料の選定の自由度が向上することから、超音波トランスデューサ１は、鉛を含有しない材料を使用する等、より環境負荷の低い材料により構成することができる。
【００４７】
なお、上述した超音波トランスデューサ１は、半導体製造技術や微細機械加工技術等の種々の製造技術を利用して製造することが可能である。それゆえ超音波トランスデューサ１を形成する方法は、特に限定されるものではないが、例えば、ＭＥＭＳ（Ｍｉｃｒｏ  Ｅｌｅｃｔｒｏ  Ｍｅｃｈａｎｉｃａｌ  Ｓｙｓｔｅｍｓ）プロセスを利用することができる。ＭＥＭＳプロセスにより作成された、超音波トランスデューサは、一般的にｃ−ＭＵＴ（Ｃａｐａｃｉｔｉｖｅ  Ｍｉｃｒｏｍａｃｈｉｎｅｄ  Ｕｌｔｒａｓｏｎｉｃ  Ｔｒａｎｓｄｕｃｅｒ）と称される。
【００４８】
次に、本発明の超音波トランスデューサを適用可能な電子機器の例について図５から図９を参照して説明する。
【００４９】
本発明の超音波トランスデューサ１を超音波診断装置の一例としての超音波内視鏡に適用した形態を図５から図７を参照して説明する。図５は、超音波内視鏡の概略構成を示す説明図である。図６は超音波内視鏡の先端部分の構成を示す斜視図である。図７は超音波送受部の斜視図である。
【００５０】
図５に示すように本実施形態の超音波内視鏡１０１は、被検体の体内に導入される細長の挿入部１０２と、この挿入部１０２の基端に位置する操作部１０３と、この操作部１０３の側部から延出するユニバーサルコード１０４とで主に構成されている。
【００５１】
前記ユニバーサルコード１０４の基端部には図示しない光源装置に接続される内視鏡コネクタ１０４ａが設けられている。この内視鏡コネクタ１０４ａからは図示しないカメラコントロールユニットに電気コネクタ１０５ａを介して着脱自在に接続される電気ケーブル１０５及び図示しない超音波観測装置に超音波コネクタ１０６ａを介して着脱自在に接続される超音波ケーブル１０６が延出されている。
【００５２】
前記挿入部１０２は、先端側から順に硬質な部材で形成した先端硬性部１２０、この先端硬性部１２０の後端に位置する湾曲自在な湾曲部１０８、この湾曲部１０８の後端に位置して前記操作部１０３の先端部に至る細径かつ長尺で可撓性を有する可撓管部１０９を連設して構成されている。また、前記先端硬性部１２０の先端側には後述する超音波を送受するための超音波送受部１３０が設けられている。
【００５３】
前記操作部１０３には前記湾曲部１０８を所望の方向に湾曲制御するアングルノブ１１１、送気及び送水操作を行うための送気・送水ボタン１１２、吸引操作を行うための吸引ボタン１１３、腔内に導入する処置具の入り口となる処置具挿入口１１４等が設けられている。
【００５４】
図６に示すように、先端硬性部１２０には、観察部位に照明光を照射する照明光学部を構成する照明レンズ（図示せず）、観察部位の光学像を捉える観察光学部を構成する対物レンズ１２１、切除した部位を吸引したり処置具が突出したりする開口である吸引兼鉗子口１２２及び送気及び送水を行うための送気送水口（図示せず）が設けられている。
【００５５】
先端硬性部１２０の先端に設けられた超音波送受部１３０は、図７に示すように、複数の超音波トランスデューサ１が、超音波振動子セル１０を外周方向に向けた状態で円筒状に配列されて構成されている。
【００５６】
基板２は、ポリイミド等の可撓性を有する材料により構成されており、円筒状に巻回されている。この円筒状に巻回された基板２の外周面上には、複数の超音波振動子セル１０からなり最小の駆動単位である超音波振動子エレメント３４が周方向に配列され、基板２の内周面上には、複数の超音波振動子エレメント３４に対応したエレクトレット２０が配設される。
【００５７】
また、基板２の外周面上には、複数の超音波振動子エレメント３４に対応した信号電極パッド３１及び接地電極パッド３２が形成されており、該信号電極パッド３１及び接地電極パッド３２には、超音波ケーブル６内を挿通されて一端が超音波コネクタ６ａに電気的に接続された、同軸ケーブル３３の他端が電気的に接続される。
【００５８】
なお、本発明の超音波トランスデューサ１は、上述した超音波内視鏡に限らず、従来公知の超音波診断装置に適用されうる。例えば、超音波プローブタイプの超音波内視鏡、カプセル型の超音波内視鏡または被検体外から被検体内に超音波を送受する形態の超音波診断装置に適用してもよい。
【００５９】
本発明の超音波トランスデューサ１を非破壊検査装置の一例としての超音波探傷装置に適用した形態を図８を参照して説明する。図８は、超音波探傷装置の概略構成を示す説明図である。
【００６０】
超音波探傷装置２００は、超音波を送受するプローブ２０２と、このプローブ２０２を制御するための装置本体部２０３とを備えている。
【００６１】
装置本体部２０３の前面中央には、探傷のための画像を表示する表示装置２０６が設けられており、この表示装置２０６の近傍には各種の役割を担うスイッチ２０７が設けられている。
【００６２】
また、プローブ２０２は、複合同軸ケーブル２０８により装置本体部２０３に接続されている。プローブ２０２の被検体に当接させる当接面部２０２ａには、一つ又は複数の超音波トランスデューサ１が配設されている。
【００６３】
超音波探傷装置２０１は、プローブ２０２の当接面部２０２ａを被検体に当接させた状態で超音波を発し、この超音波の反射の変化によって被検体を破壊することなく被検体内の傷を検出することが可能である。
【００６４】
なお、本発明の超音波トランスデューサ１は、上述した超音波探傷装置に限らず、従来公知の非破壊検査装置に適用されうる。例えば、超音波を送受することにより被検体の厚さを計測する厚さ計測装置に適用してもよい。
【００６５】
本発明の超音波トランスデューサ１を超音波顕微鏡に適用した例を図９を参照して説明する。図９は、本実施形態の超音波顕微鏡の構成を説明する図である。
【００６６】
超音波顕微鏡３００は、高周波発振器３０１で発生した高周波信号を、サーキュレータ３０２を介して本発明に係る超音波トランスデューサ１に印加し、超音波に変換する。この超音波を音響レンズ３０４で収束し、その収束点には試料３０５を配置する。試料３０５はサンプルホルダー３０６により保持され、試料３０５と音響レンズ３０４のレンズ面との間には水等のカプラ３０７が充填される。試料３０５からの反射波は音響レンズ３０４を介してトランスデューサ１により受信され、電気的な反射信号に変換される。超音波トランスデューサ１から出力される受信超音波に対応した電気信号は、サーキュレータ３０２を介して表示装置３０８へ入力される。サンプルホルダー３０６は走査回路３０９により制御される走査装置３１０により水平面内をＸＹの２軸方向に駆動される。
【００６７】
以上のように構成された超音波顕微鏡３００は、超音波を試料３０５に照射して試料３０５の音響的特性を評価することにより、試料３０５の弾性的性質を定量化したり、薄膜の構造を評価することが可能である。
【００６８】
上述した実施形態に基づいて、以下の構成を提案することができる。すなわち、  
（付記１）  
基板と、  
前記基板の片面に配置され、  
下部電極、  
前記下部電極上に配置された第１空隙部、及び  
前記第１空隙部上に配置された上部電極を含む超音波振動子セルと、  
前記基板の他方の面に配置され、  
前記下部電極及び前記上部電極のいずれか一方と電気的に連結している第１導電層と、  
前記第１導電層下に配置されたエレクトレット膜と、  
前記エレクトレット膜下に配置された絶縁層と、  
前記絶縁層下に配置され、前記下部電極及び前記上部電極のうち、前記第１導電層と電気的に連結していない方の電極と電気的に連結している第２導電層と、  
を少なくとも含むことを特徴とする超音波トランスデューサ。
【００６９】
（付記２）  
基板と、  
前記基板の片面に配置され、  
下部電極、  
前記下部電極上に配置された第１空隙部、及び  
前記第１空隙部上に配置された上部電極を含む超音波振動子セルと、  
前記基板の他方の面に配置され、  
前記下部電極及び前記上部電極のいずれか一方と電気的に連結している第１導電層と、  
前記第１導電層下に配置された絶縁層と、  
前記絶縁層下に配置されたエレクトレット膜と、  
前記エレクトレット膜下に配置され、前記下部電極及び前記上部電極のうち、前記第１導電層と電気的に連結していない方の電極と電気的に連結している第２導電層と、  
を少なくとも含むことを特徴とする超音波トランスデューサ。
【００７０】
（付記３）  
前記絶縁層は、一対の絶縁膜と、前記一対の絶縁膜に挟持された第２空隙部と、を含むことを特徴とする付記１又は２に記載の超音波トランスデューサ。
【００７１】
（付記４）  
前記基板は、フレキシブル基板であることを特徴とする付記１から３のいずれかに記載の超音波トランスデューサ。
【００７２】
なお、本発明は、上述した実施形態に限られるものではなく、請求の範囲及び明細書全体から読み取れる発明の要旨或いは思想に反しない範囲で適宜変更可能であり、そのような変更を伴う超音波トランスデューサ及び電子機器もまた本発明の技術的範囲に含まれるものである。
【図面の簡単な説明】
【００７３】
【図１】超音波トランスデューサを超音波送信方向から見た平面図である。
【図２】超音波トランスデューサの概略構成を示す斜視図である。
【図３】図１のIII-III断面図である。
【図４】超音波トランスデューサの変形例を示す断面図である。
【図５】超音波内視鏡の概略構成を説明する図である。
【図６】超音波内視鏡の先端部分の構成を示す斜視図である。
【図７】超音波送受部の斜視図である。
【図８】超音波探傷装置の概略構成を説明する図である。
【図９】超音波顕微鏡の概略構成を説明する図である。
【符号の説明】
【００７４】
１    超音波トランスデューサ、
２    基板、
２ａ    一方の面、
２ｂ    他方の面、
３    貫通電極、
４    貫通電極、
１０    超音波振動子セル、
１１    下部電極、
１２    上部電極、
１３    第１空隙部、
１４    絶縁層、
１５    膜状部、
１６    保護膜、
２０    エレクトレット膜、
２１    第１導電層、
２２    第２導電層、
２３    第２空隙部、
２４    絶縁膜、
３１    信号電極パッド、
３２    接地電極パッド、
３３    同軸ケーブル、
３４    振動子エレメント、
１０１    超音波内視鏡、
１０２    挿入部、
１０３    操作部、
１０４    ユニバーサルコード、
１０４ａ    内視鏡コネクタ、
１０５    電気ケーブル、
１０５ａ    電気コネクタ、
１０６    超音波ケーブル、
１０６ａ    超音波コネクタ、
１０８    湾曲部、
１０９    可撓管部、
１１１    アングルノブ、
１１２    送気・送水ボタン、
１１３    吸引ボタン、
１１４    処置具挿入口、
１２０    先端硬性部、
１２１    対物レンズ、
１２２    吸引兼鉗子口、
１３０    超音波送受部、
２００    超音波探傷装置、
２０２    プローブ、
２０２ａ    当接面部、
２０３    装置本体部、
２０６    表示装置、
２０７    スイッチ、
２０８    複合同軸ケーブル、
３００    超音波顕微鏡、
３０１    高周波発振器、
３０２    サーキュレータ、
３０４    音響レンズ、
３０５    試料、
３０６    サンプルホルダー、
３０７    カプラ、
３０８    表示装置、
３０９    走査回路、
３１０    走査装置。
【図１】
0004594995.tif 000002
【図２】
0004594995.tif 000003
【図３】
0004594995.tif 000004
【図４】
0004594995.tif 000005
【図５】
0004594995.tif 000006
【図６】
0004594995.tif 000007
【図７】
0004594995.tif 000008
【図８】
0004594995.tif 000009
【図９】
0004594995.tif 000010